(57)【要約】【課題】特定の領域の補間精度を向上させつつ、参照テーブルのデータ量が膨大になることを抑制すること。【解決手段】第１領域に属する色を表す入力値が入力されると、色変換のための補間用の値の組としての出力値を、格子点間の距離が第１距離である第１参照テーブルを用いて出力する第１出力回路と、前記第１領域よりも狭い領域である第２領域に属する色を表す入力値が入力されると、格子点間の距離が前記第１距離よりも短い第２距離である第２参照テーブルを用いて前記出力値を出力する第２出力回路と、前記第２領域に属する色を変換する場合、前記第２出力回路からの前記出力値を用いて、補間を実施する補間回路と、を備える色変換装置。【選択図】図２
2018133675.tif 000002
【特許請求の範囲】
【請求項１】
色空間における第１領域に属する色を表す入力値が入力されると、色変換のための補間用の値の組としての出力値を、格子点間の距離が第１距離である第１参照テーブルを用いて出力する第１出力回路と、
前記第１領域よりも狭い領域である第２領域に属する色を表す入力値が入力されると、格子点間の距離が前記第１距離よりも短い第２距離である第２参照テーブルを用いて前記出力値を出力する第２出力回路と、
前記第２領域に属する色を変換する場合、前記第２出力回路からの前記出力値を用いて、補間を実施する補間回路と、
を備える色変換装置。
【請求項２】
前記第１出力回路は、前記第１参照テーブルの格子点間の補間を実施することによって疑似格子点における値を求め、
前記第１出力回路からの出力値は、前記疑似格子点における値を含み、
前記疑似格子点を格子点と見なす場合、前記第１参照テーブルにおける前記格子点間の距離は、前記第２距離である
請求項１に記載の色変換装置。
【請求項３】
前記入力値は、前記第１出力回路と前記第２出力回路との何れにも入力され、
前記第１出力回路からの出力値と、前記第２出力回路からの出力値とを含む複数の出力値の何れか１つを前記補間回路に入力する選択回路を備える
請求項１又は請求項２に記載の色変換装置。
【請求項４】
前記第２領域は、前記第１領域に対して少なくとも一部が重複し、
前記選択回路は、前記入力値によって表される色が属する領域を判定する判定回路を備え、前記入力値によって表される色が前記第２領域に属すると判定された場合は、前記第２出力回路からの出力値を前記補間回路に入力し、前記入力値によって表される色が前記第２領域に属さないと判定された場合は、前記第１出力回路からの出力値を前記補間回路に入力する
請求項３に記載の色変換装置。
【請求項５】
第３領域に属する色を表す入力値が入力されると、第３参照テーブルを用いて前記出力値を出力する第３出力回路を備え、
前記入力値は、前記第３出力回路に入力され、
前記選択回路は、前記入力値によって表される色が前記第３領域に属すると判定された場合は、前記第３出力回路からの出力値を前記補間回路に入力する
請求項４に記載の色変換装置。
【請求項６】
色空間における前記第２領域の位置および大きさの少なくとも何れか一方を変更する変更部を備える
請求項１から請求項５までの何れか一項に記載の色変換装置。
【請求項７】
第１領域に属する色を表す入力値が入力されると、色変換のための補間用の値の組としての出力値を、格子点間の距離が第１距離である第１参照テーブルを用いて出力する第１出力回路と、
前記第１領域よりも狭い領域である第２領域に属する色を表す入力値が入力されると、格子点間の距離が前記第１距離よりも短い第２距離である第２参照テーブルを用いて前記出力値を出力する第２出力回路と、
前記第２領域に属する色を変換する場合、前記第２出力回路からの前記出力値を用いて、補間を実施する補間回路と、
前記補間の結果を用いて、画像を表示する表示部と、
を備える表示装置。
【請求項８】
色空間における第１領域に属する色を表す入力値が入力されると、色変換のための補間用の値の組としての出力値を、格子点間の距離が第１距離である第１参照テーブルを用いて出力し、
前記第１領域よりも狭い領域である第２領域に属する色を表す入力値が入力されると、格子点間の距離が前記第１距離よりも短い第２距離である第２参照テーブルを用いて前記出力値を出力し、
前記第２領域に属する色を変換する場合、前記第２参照テーブルを用いて出力された前記出力値を用いて、補間を実施する
色変換方法。
【発明の詳細な説明】
【技術分野】
【０００１】
本開示は、色の変換に関する。
【背景技術】
【０００２】
特許文献１は、プロジェクターに用いられる色変換の技術について開示している。色変換には、３次元の参照テーブル（３Ｄ−ＬＵＴ）が用いられる。
【先行技術文献】
【特許文献】
【０００３】
【特許文献１】特開２０１１−１８０３５０号公報
【発明の概要】
【発明が解決しようとする課題】
【０００４】
ＲＧＢによる入力信号がそれぞれ８ビットのデータ量である場合、参照テーブルに全ての信号値に対応した格子点を持たせると、格子点の総数が（２8）3≒１６７８万となる。この格子点の数は、実装するには多すぎる。このため、格子点を間引いておき、格子点に一致しない入力信号に対しては、補間によって出力を決定する手法を用いるのが現実的である。多くの格子点を間引けば、参照テーブルのデータ量が小さくなる一方、補間の精度が低下するので、従来、参照テーブルの設計にはこのバランスを取ることが求められていた。
【０００５】
また、格子点間の距離は、等間隔であるのが好ましい。このような間隔であれば、簡素な補間回路で補間が実施できるからである。
【０００６】
一方で、好ましい補間の精度は、色空間における領域によって異なる。例えば、明度が低い領域については、明度が高い領域に比べ、補間の精度が高いことが好ましい。しかし、格子点間の距離が等間隔であることを前提にすると、色空間における全領域について、格子点を同じように増減させることになる。このため、特定の領域の格子点を増やそうとすると、全領域において格子点の数が増えて、参照テーブルのデータ量が膨大になってしまう。
【０００７】
本開示は、上記を踏まえ、特定の領域の補間精度を向上させつつ、参照テーブルのデータ量が膨大になることを抑制することを解決課題とする。
【課題を解決するための手段】
【０００８】
本開示の一形態は、色空間における第１領域に属する色を表す入力値が入力されると、色変換のための補間用の値の組としての出力値を、格子点間の距離が第１距離である第１参照テーブルを用いて出力する第１出力回路と；前記第１領域よりも狭い領域である第２領域に属する色を表す入力値が入力されると、格子点間の距離が前記第１距離よりも短い第２距離である第２参照テーブルを用いて前記出力値を出力する第２出力回路と；前記第２領域に属する色を変換する場合、前記第２出力回路からの前記出力値を用いて、補間を実施する補間回路と；を備える色変換装置である。この形態によれば、各参照テーブルにおいて格子点間の距離を等間隔にしても、第２領域に属する色については高精度な補間が実施でき、且つ、参照テーブルのデータ量が膨大になることが抑制される。第２領域に属する色について高精度な補間が実施できるのは、第２参照テーブルの格子点間の距離が、第１参照テーブルの格子点間の距離よりも短いからである。参照テーブルのデータ量が膨大になることが抑制されるのは、第２参照テーブルは、格子点間の距離が第１参照テーブルよりも短いものの、対象領域が第１参照テーブルよりも狭いので、格子点の数が膨大にはならないからである。
【０００９】
上記形態において、前記第１出力回路は、前記第１参照テーブルの格子点間の補間を実施することによって疑似格子点における値を求め；前記第１出力回路からの出力値は、前記疑似格子点における値を含み；前記疑似格子点を格子点と見なす場合、前記第１参照テーブルにおける前記格子点間の距離は、前記第２距離であってもよい。この形態によれば、入力値によって表される色が第２領域に属していても、そうでなくても、補間回路による補間を共通の演算で実施できる。
【００１０】
上記形態において、前記入力値は、前記第１出力回路と前記第２出力回路との何れにも入力され；前記第１出力回路からの出力値と、前記第２出力回路からの出力値とを含む複数の出力値の何れか１つを前記補間回路に入力する選択回路を備えてもよい。この形態によれば、補間回路による補間の対象を、１つの出力値にすることができる。
【００１１】
上記形態において、前記第２領域は、前記第１領域に対して少なくとも一部が重複し；前記選択回路は、前記入力値によって表される色が属する領域を判定する判定回路を備え、前記入力値によって表される色が前記第２領域に属すると判定された場合は、前記第２出力回路からの出力値を前記補間回路に入力し、前記入力値によって表される色が前記第２領域に属さないと判定された場合は、前記第１出力回路からの出力値を前記補間回路に入力してもよい。この形態によれば、判定回路による判定を利用して、簡素な構成で選択を実現できる。
【００１２】
上記形態において、第３領域に属する色を表す入力値が入力されると、第３参照テーブルを用いて前記出力値を出力する第３出力回路を備え；前記入力値は、前記第３出力回路に入力され；前記選択回路は、前記入力値によって表される色が前記第３領域に属すると判定された場合は、前記第３出力回路からの出力値を前記補間回路に入力してもよい。この形態によれば、特定の領域の補間精度を向上させつつ、参照テーブルのデータ量が膨大になることを抑制することを、より高い自由度で実現できる。
【００１３】
上記形態において、色空間における前記第２領域の位置および大きさの少なくとも何れか一方を変更する変更部を備えてもよい。この形態によれば、適宜、高精度な補間の対象領域を変更できる。
【００１４】
本開示は、上記以外の種々の形態で実現できる。例えば、色変換方法、この方法を利用した表示装置の形態で実現できる。
【図面の簡単な説明】
【００１５】
【図１】プロジェクターの機能ブロック図。
【図２】色変換部の機能ブロック図。
【図３】第１参照テーブルを示す図。
【図４】第２参照テーブルを示す図。
【図５】第２参照テーブルを用いた場合における入力と出力との関係を示す図。
【図６】第１参照テーブルにおける入力画像信号の位置と格子点との関係を示す図。
【図７】第１参照テーブルを用いた場合における補間の様子を示す図。
【図８】選択回路の回路構成図。
【発明を実施するための形態】
【００１６】
図１は、プロジェクター１の機能ブロック図である。プロジェクター１は、外部から入力される入力画像データＤ１によって示される色を変換し、スクリーンＳＣに画像を表示する表示装置である。プロジェクター１は、上記の色変換方法を実行するので、色変換装置でもある。
【００１７】
プロジェクター１は、プロジェクター１の各部を制御する制御部１０と、制御部１０の制御により入力画像データＤ１を処理する画像処理モジュール１００と、スクリーンＳＣに画像を表示する表示部２０とを備える。
【００１８】
表示部２０は、光源部２１、分光部２２、光変調部２３、及び投射光学系２４を備える。光源部２１は、キセノンランプ、超高圧水銀ランプ、ＬＥＤ等からなる光源を備える。光源部２１は、制御部１０の制御に従って光源に駆動電流を供給し、光源を点灯／消灯させる駆動回路を備える。光源部２１は、光源が発した光を分光部２２に導くリフレクター、光源の放射光の光学特性を高めるためのレンズ群、偏光板、光源から分光部２２に至る経路上で光量を減光させる調光素子等を備えてもよい。
【００１９】
分光部２２は、例えば色光を分離するミラーやプリズムを備え、光源部２１が発した光を分光する。本実施形態では、光源部２１が発した光をＲ（赤）、Ｇ（緑）、Ｂ（青）の３色の色光２０ａに分光して、光変調部２３に入射する。
【００２０】
光変調部２３は、分光部２２が分光した色光２０ａのそれぞれを変調する３つの液晶パネル２３Ｒ、２３Ｇ、２３Ｂを備える。液晶パネル２３Ｒには、色光２０ａのうちＲの光が入射する。また、液晶パネル２３ＧにはＧの光が入射し、液晶パネル２３ＢにはＢの光が入射する。液晶パネル２３Ｒ、２３Ｇ、２３Ｂは、例えば透過型の液晶パネルであり、それぞれ入射光を変調し、変調後の色光２０ｂを投射光学系２４に入射する。
【００２１】
投射光学系２４は、光変調部２３で変調されたＲＧＢ３色の色光２０ｂを合成するプリズム、及び、プリズムで合成された投射画像をスクリーンＳＣに結像させるレンズ群等を備える。
【００２２】
制御部１０は、プロジェクター１の本体上面や背面に配置された操作パネル１１に接続されている。操作パネル１１は複数の操作子を備え、これら操作子の操作に対応する操作信号を生成して制御部１０に出力する。
【００２３】
制御部１０は、リモコン受光部１２に接続されている。リモコン受光部１２は、リモコン１５が送信する赤外線信号を受信し、リモコン１５における操作に対応する操作信号を生成して制御部１０に出力する。リモコン１５は、プロジェクター１を操作する各種キーを備え、キーの操作に対応した赤外線信号を送信する。リモコン１５は、例えば、プロジェクター１の電源オン／オフを指示する電源キー、数字に対応する数字キー、方向を指示する矢印キー或いは十字キーを備える。
【００２４】
プロジェクター１には、プロジェクター１が内蔵する記憶装置、または、パーソナルコンピューターや各種画像プレーヤー等の外部の画像供給装置からデジタル画像データが入力される。プロジェクター１に入力される入力画像データは、静止画像の画像データであっても動画の画像データであってもよく、本実施形態では一例として、動画像の画像データが入力される場合について説明する。
【００２５】
画像処理モジュール１００は、色変換部３０と、入力画像データＤ１が入力する画像入力インターフェース（Ｉ／Ｆ）３１と、光変調部駆動回路３２と、ＤＲＡＭ４０とを備える。
【００２６】
画像入力Ｉ／Ｆ３１に入力される入力画像データＤ１は、上述のように、プロジェクター１が内蔵する記憶装置が記憶する画像データ、あるいは、プロジェクター１の外部の画像供給装置が出力する画像データである。画像入力Ｉ／Ｆ３１は、色変換部３０に入力画像データＤ１を入力する。
【００２７】
画像入力Ｉ／Ｆ３１は、画像供給装置に接続されるコネクターやインターフェース回路を備えてもよいし、プロジェクター１に、画像入力Ｉ／Ｆ３１とは別のコネクターやインターフェース回路を設けてもよい。また、画像入力Ｉ／Ｆ３１は、アナログ画像信号を入力可能な構成としてもよい。この場合、画像入力Ｉ／Ｆ３１は、アナログ画像信号をデジタル画像データに変換するＡ／Ｄコンバーター等を備え、変換したデジタル画像データを色変換部３０に出力してもよい。
【００２８】
画像入力Ｉ／Ｆ３１が色変換部３０に出力する入力画像データＤ１は、３次元色空間の入力画像信号と、同期信号ＳＳとを含む。入力画像信号は、入力赤信号Ｒ＿ＩＮと，入力緑信号Ｇ＿ＩＮと，入力青信号Ｂ＿ＩＮとから構成される。３次元色空間は、直交座標系で表される。入力赤信号Ｒ＿ＩＮと，入力緑信号Ｇ＿ＩＮと，入力青信号Ｂ＿ＩＮとのそれぞれは、８ビットのデータ量を有する。つまり、各々の信号は、１０２４階調で表現される。以下、入力画像信号によって表される色を、入力色と呼ぶ。
【００２９】
色変換部３０には、画像データを一時的に格納するＤＲＡＭ（Dynamic Random Access Memory）４０が接続される。色変換部３０は、入力画像信号を処理し、出力画像信号を生成する色変換を実行する。出力画像信号は、出力赤信号Ｒ＿ＯＵＴと，出力緑信号Ｇ＿ＯＵＴと，出力青信号Ｂ＿ＯＵＴとから構成される。出力画像信号も、３次元の直交座標系の色空間によって定義される画像信号である。出力画像信号の各値も、入力画像信号と同じく、８ビットのデータ量を有する。
【００３０】
光変調部駆動回路３２は、色変換部３０から入力される出力画像データに基づき、液晶パネル２３Ｒ、液晶パネル２３Ｇ、及び液晶パネル２３Ｂを駆動して、画像を描画する処理部である。出力画像データは、出力画像信号と、同期信号ＳＳとを含む。これにより、表示部２０が、スクリーンＳＣに、色変換部３０が処理した画像データに基づく画像を表示する。
【００３１】
図２は、色変換部３０の機能ブロック図である。色変換部３０は、第１出力回路２１０と、第２出力回路２２０と、選択回路２３０と、補間回路２４０と、同期信号伝送回路２５０とを備える。第１出力回路２１０は、第１参照テーブル２１１を備える。第２出力回路２２０は、第２参照テーブル２２２を備える。
【００３２】
第１出力回路２１０、第２出力回路２２０、選択回路２３０及び補間回路２４０は、協働して、入力画像信号から出力画像信号を生成し、光変調部駆動回路３２に入力する。同期信号伝送回路２５０は、入力された同期信号ＳＳを、光変調部駆動回路３２に入力する。
【００３３】
図３は、第１参照テーブル２１１を示す。第１参照テーブル２１１は、入力画像信号から、出力画像信号を求めるための３次元空間を有するルックアップテーブルである。但し、図３は、図示の簡略化のため、第１参照テーブル２１１を、入力赤信号Ｒ＿ＩＮ及び入力緑信号Ｇ＿ＩＮによる２次元で表している。
【００３４】
図３に示された黒丸は、格子点を示す。各格子点には、出力画像信号の値が対応付けられている。
【００３５】
第１参照テーブル２１１は、入力色が色空間において位置し得る領域の全てに対応している。つまり、第１参照テーブル２１１における各軸の最小値は０であり、最大値は１０２３である。図３には、１７2＝２８９の格子点が示されている。実際には３次元であるので、１７3＝４９１３の格子点が存在する。各格子点間の距離は、等間隔である。このため、格子点間の距離は、６４階調である。６４は２6であるので、格子点間の距離は２の冪乗で表される。
【００３６】
図４は、第２参照テーブル２２２を示す。第２参照テーブル２２２は、入力画像信号から、出力画像信号を求めるための３次元空間を有するルックアップテーブルである。但し、図４は、図３と同様、入力赤信号Ｒ＿ＩＮ及び入力緑信号Ｇ＿ＩＮによる２次元で表している。図４に示された黒丸は、図３と同様、格子点を示す。
【００３７】
第２参照テーブル２２２は、入力色が色空間において位置し得る領域の一部に対応している。具体的には、第２参照テーブル２２２における各軸の最小値は０であり、最大値は２５５である。以下、第２参照テーブル２２２が対応している領域を、特定領域と呼ぶ。本実施形態における特定領域は、明度が低い領域である。
【００３８】
図４には、１７2＝２８９の格子点が示されている。実際には３次元であるので、１７3＝４９１３の格子点が存在する。各格子点間の距離は、等間隔である。このため、格子点間の距離は、１６階調である。１６は２4であるので、格子点間の距離は２の冪乗で表される。
【００３９】
第１参照テーブル２１１及び第２参照テーブル２２２の格子点の総数は、４９１３×２＝９８２６であり、実装するのに問題のない数である。
【００４０】
図５は、第２参照テーブル２２２を用いた場合における入力と出力との関係を示す。第２出力回路２２０は、第２参照テーブル２２２を用いて、従来と同様な手法によって出力値を決定する。つまり、入力画像信号の３次元位置が、図５に示す位置Ｄｐであった場合、位置Ｄｐを取り囲む格子点の値が出力される。図５には、位置Ｄｐを取り囲む格子点の値として、値Ｋ，値Ｌ，値Ｍ，値Ｎが出力される様子が示されている。実際には３次元であるので、８個の格子点の値が出力される。出力された値は、選択回路２３０に入力される。
【００４１】
図６は、第１参照テーブル２１１における入力画像信号の３次元位置Ｄｐと、格子点との関係を示す。第１出力回路２１０は、第１参照テーブル２１１を対象に補間を施して、出力値を決定する。
【００４２】
図７は、第１参照テーブル２１１を対象にした補間の様子を示す。以下、第１参照テーブル２１１が２次元形式であるものとして説明する。まず、位置Ｄｐを取り囲む格子点の値を用いて、１回目の補間を実施する。具体的には次の通りである。
【００４３】
図７に例示された位置Ｄｐは、位置Ｄｐを取り囲む格子点のうち、（０，０）の格子点に最も近い。（０，０）の格子点には、値Ａが対応付けられている。１回目の補間は、（０，０）の格子点と、他の３つの格子点それぞれとの間を対象にする。これら３つの格子点のうちの１つである（６３，０）の格子点には、値Ｂが対応付けられている。値Ａと値Ｂとを用いる補間は、具体的には、（Ａ＋Ｂ）／２を、（０，０）と（６３，０）との中間点の値とするという演算である。（Ａ＋Ｂ）／２は、出力赤信号Ｒ＿ＯＵＴの値と、出力緑信号Ｇ＿ＯＵＴの値と、出力青信号Ｂ＿ＯＵＴの値とのそれぞれについて、値Ａ，値Ｂの平均を取る演算である。
【００４４】
以下、（Ａ＋Ｂ）／２をＡ￥Ｂと表記し、他の値を用いた場合も同様に表記する。（０，６３）の格子点に対応付けられた値Ｃ、及び（６３，６３）の格子点に対応付けられた値Ｄについても同様な補間を実施する。図７は、１回目の補間によって決定される位置を、白丸で示す。以下、補間によって決定される位置を、疑似格子点と呼ぶ。
【００４５】
続いて、２回目の補間を実施する。２回目の補間は、位置Ｄｐを取り囲む格子点のうち、位置Ｄｐに最も近い格子点と、１回目の補間によって決定した３つの疑似格子点とを用いる。２回目の補間は、１回目の補間によって決定した３つの疑似格子点を格子点と見なすと、１回目の補間と同じ内容になる。
【００４６】
図７に例示された場合、位置Ｄｐを取り囲む格子点のうち、位置Ｄｐに最も近い格子点は、１回目の補間で決定された疑似格子点（３１，３１）である。このため、２回目の補間は、疑似格子点（３１，３１）、並びに、（０，０）の格子点、（０，３１）の疑似格子点、及び（３１，０）の疑似格子点を用いる。
【００４７】
１回目の補間によるＡ￥ＣをＦ、Ａ￥ＤをＧと表記すると、２回目の補間は、（１５，１５）の位置の値としてＡ￥Ｇ、（３１，１５）の位置の値としてＥ￥Ｇ、（１５，３１）の位置の値としてＦ￥Ｇが決定される。図７は、２回目の補間によって決定される位置を、二重丸で示す。
【００４８】
Ａ￥ＧをＨ、Ｅ￥ＧをＩ、Ｆ￥ＧをＪと表記すると、第１出力回路２１０からの出力は、値Ｇ、値Ｊ、値Ｉ，値Ｈとなる。疑似格子点を格子点と見なすと、出力値の元になる格子点間の距離は、１６階調であり、第２参照テーブルを用いて出力される出力値と同じになる。
【００４９】
第１出力回路２１０からの出力値は、選択回路２３０に入力される。第１参照テーブル２１１は、実際には３次元空間を有するので、上記で説明した内容を３次元に拡張された補間が実施されることによって、８個の値が出力される。
【００５０】
第１出力回路２１０による出力値は、入力色が特定領域に属するか否かに関わらず、上記で説明した補間が実施された上で出力される。第２出力回路２２０は、入力色が特定領域に属さない場合、出力を実施しない。
【００５１】
選択回路２３０は、第２参照テーブル２２２から値が入力された場合、第２参照テーブル２２２から入力された値を補間回路２４０に入力する。つまり、第１参照テーブル２１１から入力された値は、無視される。
【００５２】
選択回路２３０は、第２参照テーブル２２２から値が入力されなかった場合、第１参照テーブル２１１から入力された値を補間回路２４０に入力する。
【００５３】
図８は、選択回路２３０の回路構成を示す。図８に示された回路構成は、上記の選択を実現するためのものである。選択回路２３０は、判定回路２３１と、論理積回路２３３と、論理積回路２３５と、論理和回路２３７とを備える。
【００５４】
判定回路２３１は、入力された入力画像信号に基づき、入力色が特定領域内である場合には１を出力し、そうでなければ０を出力する。判定回路２３１の出力は、論理積回路２３３と論理積回路２３５とに入力される。但し、論理積回路２３３に入力される値は、判定回路２３１からの出力値が反転した値である。
【００５５】
このため、入力色が特定領域内である場合には、論理積回路２３３には０が入力され、論理積回路２３５には１が入力される。一方、入力色が特定領域外である場合には、論理積回路２３３には１が入力され、論理積回路２３５には０が入力される。
【００５６】
論理積回路２３３は、第１出力回路２１０からの出力値と、判定回路２３１からの入力値との論理積を出力する。このため、論理積回路２３３は、入力色が特定領域外である場合には、第１出力回路２１０からの出力値を出力する。一方、論理積回路２３３は、入力色が特定領域内である場合には０を出力する。
【００５７】
論理積回路２３５は、第２出力回路２２０からの出力値と、判定回路２３１からの入力値との論理積を出力する。このため、論理積回路２３５は、入力色が特定領域内である場合には、第２出力回路２２０からの出力値を出力する。一方、論理積回路２３５は、入力色が特定領域外である場合には０を出力する。
【００５８】
論理和回路２３７は、論理積回路２３３からの入力値と、論理積回路２３５からの入力値との論理和を出力する。このため、論理和回路２３７は、入力色が特定領域内である場合には、第２出力回路２２０からの出力値を出力する。一方、論理和回路２３７は、入力色が特定領域外である場合には第１出力回路２１０からの出力値を出力する。論理和回路２３７からの出力値は、選択回路２３０からの出力値として、補間回路２４０に入力される。
【００５９】
補間回路２４０は、選択回路２３０から入力された出力値を用いて、補間を実施する。具体的には、周知の四面体補間を用いて、補間を実施する。入力される出力値の色空間における位置が２の冪乗で表されているため、補間回路２４０は、簡素な演算で補間を実施することができる。
【００６０】
以上に説明した実施形態によれば、明度が低い領域についての高精度な補間を実現しつつ、参照テーブルの格子点の数を実用的な範囲に収めることができる。
【００６１】
本開示は、本明細書の実施形態や実施例、変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、先述の課題の一部又は全部を解決するために、或いは、先述の効果の一部又は全部を達成するために、適宜、差し替えや、組み合わせができる。その技術的特徴が本明細書中に必須なものとして説明されていなければ、適宜、削除できる。例えば、以下のものが例示される。
【００６２】
出力回路の数、つまり参照テーブルの数は、３つ以上でもよい。例えば、次の特徴を有する第３参照テーブルを設けてもよい。第３参照テーブルは、第２参照テーブル２２２と同様、格子点間の距離が第１参照テーブル２１１よりも短く、且つ、入力色が色空間において位置し得る領域の一部に対応する。但し、第３参照テーブルが対応する領域は、第２参照テーブル２２２とは異なる領域である。このような第３参照テーブルを用いることによって、高精度な補間の対象とする領域を適宜、増やすことができる。
【００６３】
第２参照テーブル２２２の内容は、制御部１０によって書き換えられてもよい。例えば、制御部１０は、操作パネル１１又はリモコン受光部１２からの操作信号に応じて、第２参照テーブル２２２が対応する特定領域の大きさを変更したり、特定領域の位置を変更したりしてもよい。
【００６４】
選択回路２３０は、無くてもよい。この場合、補間回路を２つ用意し、第１出力回路２１０の出力値と第２出力回路２２０の出力値とをそれぞれ補間してもよい。そして、２つの補間結果の何れを用いるかを選択してもよい。
【００６５】
上記のように２つの補間回路を用意する場合、実施形態において説明した第１参照テーブル２１１を対象とした補間は、必要が無いので実施しなくてもよい。
【００６６】
上記で説明した色変換方法を適用する表示装置は、プロジェクター以外でもよい。例えば、テレビ受像機でもよい。
【００６７】
入力画像データＤ１は、ＲＧＢ色空間の画像データでなくてもよく、直交座標系の画像データであれば本発明の適用対象であり、例えば、Ｙ（輝度信号）、Ｕ（第１色差信号）、Ｖ（第２色差信号）からなるＹＵＶ色空間の画像データであってもよいし、ＹＣｂＣｒ色空間の画像データ、或いはＹＰｂＰｒ色空間の画像データであってもよい。
【００６８】
入力画像データは、通常の画像データの他、立体画像データであってもよい。立体画像データのフォーマットは、左目用の画像のフレームと右目用の画像のフレームとが交互に入力されるフレームシーケンシャル方式のほか、トップアンドボトム方式やサイドバイサイド方式とすることができる。
【符号の説明】
【００６９】
１…プロジェクター、１０…制御部、１１…操作パネル、１２…リモコン受光部、１５…リモコン、２０…表示部、２１…光源部、２２…分光部、２３…光変調部、２３Ｂ…液晶パネル、２３Ｇ…液晶パネル、２３Ｒ…液晶パネル、２４…投射光学系、３０…色変換部、３２…光変調部駆動回路、４０…ＤＲＡＭ、１００…画像処理モジュール、２１０…第１出力回路、２１１…第１参照テーブル、２２０…第２出力回路、２２２…第２参照テーブル、２３０…選択回路、２３１…判定回路、２３３…論理積回路、２３５…論理積回路、２３７…論理和回路、２４０…補間回路、２５０…同期信号伝送回路
【図１】
2018133675.tif 000003
【図２】
2018133675.tif 000004
【図３】
2018133675.tif 000005
【図４】
2018133675.tif 000006
【図５】
2018133675.tif 000007
【図６】
2018133675.tif 000008
【図７】
2018133675.tif 000009
【図８】
2018133675.tif 000010